(57)【要約】【課題】三原色映像信号についての色温度調整のための色温度補正用データを、色温度調整の対象とされる三原色映像信号の各々がとる各輝度階調に対して十分適正に対応したものとして形成することができるものとする。【解決手段】各階調測定三刺激値のうちの三原色映像信号の各々がとるｎ段の輝度階調のうちの一つに対応するものに基づいて、三原色輝度から三刺激値への第１の変換行列を求め、その第１の変換行列の逆行列を計算して、三刺激値から三原色輝度への第２の変換行列を求め、第２の変換行列と、三原色映像信号の各々がとるｎ段の輝度階調のうちの一つに対応する目標三刺激値とから、三原色輝度を算出する算出動作を、三原色映像信号の各々がとるｎ段の輝度階調の夫々について行い、その結果得られる三原色輝度をあらわす参照データを色温度補正用データとして送出する参照データ形成部３５を備える。【選択図】図１
2006038980.tif 000002
【特許請求の範囲】
【請求項１】
三原色映像信号を各々がｎ段（ｎは正整数）の輝度階調のいずれかに設定されたものとして送出することができる映像信号発生部と、
該映像信号発生部から送出された三原色映像信号に基づく表示を行う表示パネルにおける色光を測定する色光測定部と、
該色光測定部からの測定出力を測定三刺激値に変換して、上記三原色映像信号の各々がとる上記ｎ段の輝度階調の夫々に対応する各階調測定三刺激値を得、該各階調測定三刺激値をあらわす測定データを形成する測定データ形成部と、
三原色映像信号の各々がとるｎ段の輝度階調の夫々に対応する目標三刺激値を目標色温度に応じて設定し、設定された目標三刺激値をあらわす目標値データを形成する目標値設定部と、
上記測定データ形成部から得られる測定データがあらわす各階調測定三刺激値のうちの、上記三原色映像信号の各々がとるｎ段の輝度階調のうちの一つに対応するものに基づいて、三原色輝度から三刺激値への第１の変換行列を求め、次に、該第１の変換行列の逆行列を計算して、三刺激値から三原色輝度への第２の変換行列を求め、該第２の変換行列と、上記目標値設定部から得られる目標値データがあらわす、上記三原色映像信号の各々がとるｎ段の輝度階調のうちの上記一つに対応する目標三刺激値とから、三原色輝度を算出する算出動作を、上記三原色映像信号の各々がとるｎ段の輝度階調の夫々について行い、その結果得られる上記三原色映像信号の各々がとるｎ段の輝度階調の夫々に対応する三原色輝度をあらわす参照データを形成し、該参照データを上記表示パネルにおける画像表示に供される三原色映像信号についての色温度補正用データとして送出する参照データ形成部と、
を備えて構成される色温度補正用データ形成装置。
【請求項２】
上記色光測定部による色光の測定及び上記測定データ形成部による測定データの形成が、上記表示パネルにおける表示に供される上記三原色映像信号の各々が上記ｎ段の輝度階調のうちの所定の間隔をもって選択されたものに設定されるもとで行われ、上記参照データ形成部が、上記測定データ形成部から得られる測定データを測定三刺激値に変換して、上記三原色映像信号の各々がとる上記ｎ段の輝度階調の夫々に対応する各階調測定三刺激値を得るにあたり、上記測定三刺激値についての補間処理を用いることを特徴とする請求項１記載の色温度補正用データ形成装置。
【請求項３】
上記目標値設定部が、上記目標三刺激値を上記表示パネルにおける光漏れに対する補正が施されたものとして設定することを特徴とする請求項１記載の色温度補正用データ形成装置。
【請求項４】
上記目標値設定部が、上記目標三刺激値を上記三原色映像信号の各々が低輝度である場合に対する補正が施されたものとして設定することを特徴とする請求項１記載の色温度補正用データ形成装置。
【請求項５】
上記参照データ形成部が、上記測定データ形成部から得られる測定データを測定三刺激値に変換するにあたり、該測定三刺激値を上記表示パネルにおける光漏れに対する補正が施されたものとすることを特徴とする請求項１記載の色温度補正用データ形成装置。
【請求項６】
上記参照データ形成部が、上記各階調測定三刺激値うちの、上記三原色映像信号の各々がとる上記ｎ段の輝度階調のうちの一つに対応するものに基づいて求めた、上記三原色輝度から三刺激値への第１の変換行列を、上記第２の変換行列と、上記目標値設定部により設定された、上記三原色映像信号の各々がとるｎ段の輝度階調のうちの上記一つに対応する目標三刺激値と、から算出した三原色輝度に基づいて、修正された第１の変換行列として求め直し、該修正された第１の変換行列を用いて三原色輝度を算出し直すことを特徴とする請求項１記載の色温度補正用データ形成装置。
【請求項７】
上記ｎ段の輝度階調が２５６段の輝度階調に選定されるとことを特徴とする請求項１記載の色温度補正用データ形成装置。
【発明の詳細な説明】
【技術分野】
【０００１】
本願の特許請求の範囲に記載された発明は、表示パネルにおける画像表示に供される三原色映像信号についての色温度補正用データを形成して、当該三原色映像信号に対する色温度補正を行う補正手段へと送出する、色温度補正用データ形成装置に関する。
【背景技術】
【０００２】
近年、映像信号を構成する赤色原色信号，緑色原色信号及び青色原色信号の三原色映像信号に基づく画像表示を行うカラー画像表示装置として、液晶表示パネルと称される液晶を用いた平面画像表示装置が、種々の分野に進出してきている。液晶表示パネルにあっては、従前においてカラー画像表示装置の主流であったカラー陰極線間管に比して、薄型化，軽量化において圧倒的に有利であり、しかも、画質においても遜色がない、あるいは、凌駕している、比較的大なる画面のものが供給されるようになったことに、急速な普及の要因が見られる。
【０００３】
しかしながら、カラー画像表示装置として用いられる液晶表示パネルによる画像表示が行われる場合、例えば、カラー陰極線間管による画像表示の場合と同様に、それによる画像表示に供される三原色映像信号の夫々が高輝度階調のものであるもとでの色温度と、低輝度階調のものであるもとでの色温度とが、それらが一定になるように調整されるだけでは、三原色映像信号の夫々が中間輝度階調のものであるときにおける色温度が大きく変化してしまい、表示されるカラー画像が不自然なものとなってしまうという問題がある。これは、液晶表示パネルが有する原理的欠点と言えるものである。
【０００４】
そのため、液晶表示パネルを三原色映像信号に基づいて駆動して画像表示を行うにあたっては、三原色映像信号の夫々が高輝度階調のものであるもとでの色温度及び低輝度階調のものであるもとでの色温度に加えて、三原色映像信号の夫々が中間輝度階調のものであるときにおける色温度をも調整するようなすことが望まれる。そして、このような色温度の調整を可能とするには、例えば、図５に示されるような画像表示構成をとることが考えられる。
【０００５】
図５に示される画像表示構成にあっては、三原色映像信号を成す赤色原色信号ＳＲ，緑色原色信号ＳＧ及び青色原色信号ＳＢが、夫々、輝度制御部１１，１２及び１３による輝度補正を受けて、補正赤色原色信号ＳＲＭ，補正緑色原色信号ＳＧＭ及び補正青色原色信号ＳＢＭとされて、表示パネル駆動部１４に供給される。表示パネル駆動部１４は、補正赤色原色信号ＳＲＭ，補正緑色原色信号ＳＧＭ及び補正青色原色信号ＳＢＭに基づく駆動信号ＳＤを形成して、それにより液晶表示パネル１５を駆動する。その結果、液晶表示パネル１５において、補正赤色原色信号ＳＲＭ，補正緑色原色信号ＳＧＭ及び補正青色原色信号ＳＢＭに基づく画像が表示される。
【０００６】
このようなもとで、輝度制御部１１は、参照データ供給部１６からの予め設定された輝度補正用参照データＤＲＲを受けて、例えば、赤色原色信号ＳＲの輝度を輝度補正用参照データＤＲＲがあらわす参照輝度と一致させるべく補正して、補正赤色原色信号ＳＲＭを形成する。また、輝度制御部１２は、参照データ供給部１６からの予め設定された輝度補正用参照データＤＲＧを受けて、例えば、緑色原色信号ＳＧの輝度を輝度補正用参照データＤＲＧがあらわす参照輝度と一致させるべく補正して、補正緑色原色信号ＳＧＭを形成する。さらに、輝度制御部１３は、参照データ供給部１６からの予め設定された輝度補正用参照データＤＲＢを受けて、例えば、青色原色信号ＳＢの輝度を輝度補正用参照データＤＲＢがあらわす参照輝度と一致させるべく補正して、補正青色原色信号ＳＢＭを形成する。
【０００７】
それにより、補正赤色原色信号ＳＲＭ，補正緑色原色信号ＳＧＭ及び補正青色原色信号ＳＢＭは、夫々、輝度補正用参照データＤＲＲがあらわす参照輝度，輝度補正用参照データＤＲＧがあらわす参照輝度、及び、輝度補正用参照データＤＲＢがあらわす参照輝度に応じた輝度階調のものとされ、それに基づいて液晶表示パネル１５上に得られる画像が、予め設定された色温度が維持されたもとで得られるものとなるようにされる。参照データ供給部１６から送出される予め設定された輝度補正用参照データＤＲＲ，輝度補正用参照データＤＲＧ及び輝度補正用参照データＤＲＢは、参照データテーブル保持部１７において保持された、三原色映像信号を成す赤色原色信号ＳＲ，緑色原色信号ＳＧ及び青色原色信号ＳＢの夫々の輝度階調との対応関係をもって設定された輝度補正用参照データＤＲＲ，輝度補正用参照データＤＲＧ及び輝度補正用参照データＤＲＢをあらわす参照データテーブルから読み出され、色温度補正用データＤＲＴとし参照データ供給部１６に供給されたものとされる。
【０００８】
このようなもとでは、色温度補正用データＤＲＴとされる、参照データテーブル保持部１７において保持される参照データテーブル中の三原色映像信号についての輝度補正用参照データが、如何様に形成されるかが、液晶表示パネル１５における補正赤色原色信号ＳＲＭ，補正緑色原色信号ＳＧＭ及び補正青色原色信号ＳＢＭに基づく画像についての色温度調整の結果を大きく左右することになる。
【０００９】
上述の参照データテーブル保持部１７に相当する参照データテーブル保持部において保持される参照データテーブル中の、三原色映像信号についての輝度補正用参照データの形成に関しては、従来、下記のような形成の仕方が提案されている（例えば、特許文献１。）。
【００１０】
先ず、上述の液晶表示パネル１５に相当する液晶表示パネルにおける画像表示に供される三原色映像信号を成す赤色原色信号，緑色原色信号及び青色原色信号が、赤色原色信号が最高輝度階調のもので、緑色原色信号及び青色原色信号の夫々が最低輝度階調のものとされた第１の状態，緑色原色信号が最高輝度階調のもので、赤色原色信号及び青色原色信号の夫々が最低輝度階調のものとされた第２の状態，青色原色信号が最高輝度階調のもので、赤色原色信号及び緑色原色信号の夫々が最低輝度階調のものとされた第３の状態，赤色原色信号，緑色原色信号及び青色原色信号の夫々が同一輝度階調であって、その輝度階調が最低輝度階調から最高輝度階調までの６４階調の夫々とされた第４の状態の各々のもとで、液晶表示パネルにおける色光を測定する。続いて、このような各測定により得られる測定値を三刺激値Ｘ，Ｙ，Ｚに変換し、第１，第２及び第３の状態のもとで得られる三刺激値Ｘ，Ｙ，Ｚに基づいて、三原色輝度Ｒ，Ｇ，Ｂから三刺激値Ｘ，Ｙ，Ｚへの第１の変換行列を生成するとともに、赤色原色信号，緑色原色信号及び青色原色信号の各々が同一輝度階調であって、その輝度階調が最高輝度階調とされるもとで得られる三刺激値Ｘ，Ｙ，Ｚに基づいて第１の変換行列に修正を加える。
【００１１】
次に、修正された第１の変換行列の逆行列を計算して、三刺激値Ｘ，Ｙ，Ｚから三原色輝度Ｒ，Ｇ，Ｂへの第２の変換行列を生成し、生成された第２の変換行列と別途設定した目標三刺激値Ｘ，Ｙ，Ｚとから、赤色原色信号，緑色原色信号及び青色原色信号の各々がとる各輝度階調に対応する三原色輝度Ｒ，Ｇ，Ｂを求める。そして、求められた三原色輝度Ｒ，Ｇ，Ｂをあらわすデータを形成して、それらを参照データテーブル保持部において保持される参照データテーブル中の、三原色映像信号についての輝度補正用参照データとする。
【特許文献１】公開特許公報：特開２００３ー２４８４６７号
【発明の開示】
【発明が解決しようとする課題】
【００１２】
上述のようにして、参照データテーブル保持部により保持された参照データテーブル中の三原色映像信号についての輝度補正用参照データを、色温度補正用データとして読み出す参照データ供給部から、読み出された輝度補正用参照データが供給されるレベル制御部が設けられ、そのレベル制御部によって、三原色映像信号の夫々に対するレベル制御が輝度補正用参照データに応じて行われるにあたり、参照データテーブル保持部において保持される参照データテーブル中の三原色映像信号についての輝度補正用参照データの形成が、赤色原色信号が最高輝度階調のもので、緑色原色信号及び青色原色信号の夫々が最低輝度階調のものとされた第１の状態，緑色原色信号が最高輝度階調のもので、赤色原色信号及び青色原色信号の夫々が最低輝度階調のものとされた第２の状態、及び、青色原色信号が最高輝度階調のもので、赤色原色信号及び緑色原色信号の夫々が最低輝度階調のものとされた第３の状態のもとで得られる三刺激値Ｘ，Ｙ，Ｚに基づいて生成された、三原色輝度Ｒ，Ｇ，Ｂから三刺激値Ｘ，Ｙ，Ｚへの変換行列が、三原色映像信号の各々がとる各輝度階調に対して共通に用いられて算出される、三原色映像信号の各々がとる各輝度階調に対応する三原色輝度Ｒ，Ｇ，Ｂをあらわすものとされるもとにあっては、三原色輝度Ｒ，Ｇ，Ｂから三刺激値Ｘ，Ｙ，Ｚへの変換行列が、第１の状態，第２の状態及び第３の状態のもとで得られる三刺激値Ｘ，Ｙ，Ｚに基づいて生成されたもの一つだけとされることになる。
【００１３】
このように、一つの三原色輝度Ｒ，Ｇ，Ｂから三刺激値Ｘ，Ｙ，Ｚへの変換行列が、三原色映像信号の各々がとる各輝度階調に対して共通に用いられることにより、形成される輝度補正用参照データが、三原色映像信号の各々がとる各輝度階調に対して十分適正に対応することができないものとされる事態が生じる。その結果、レベル制御部によって行われる三原色映像信号の夫々に対する輝度補正用参照データに応じたレベル制御が、三原色映像信号の各々がとる各輝度階調に対応して精度良く目的を達成することができるものとは言えないものになってしまう。
【００１４】
斯かる点に鑑み、本願の特許請求の範囲に記載された発明は、例えば、液晶表示パネルとされるカラー画像表示装置による画像表示に供される三原色映像信号についての色温度調整のための補正制御に用いられる色温度補正用データを、色温度調整の対象とされる三原色映像信号の各々がとる各輝度階調に対して十分適正に対応したものとして形成し、それを送出することができ、それにより、三原色映像信号の夫々に対する色温度調整のための補正制御を、三原色映像信号の各々がとる各輝度階調に対応して精度良く目的を達成することができるものとなすことができる、色温度補正用データ形成装置を提供する。
【課題を解決するための手段】
【００１５】
本願の特許請求の範囲における請求項１から請求項７までのいずれかに記載された発明に係る色温度補正用データ形成装置は、三原色映像信号を各々がｎ段（ｎは正整数）の輝度階調のいずれかに設定されたものとして送出することができる映像信号発生部と、映像信号発生部から送出された三原色映像信号に基づく表示を行う表示パネルにおける色光を測定する色光測定部と、色光測定部からの測定出力を測定三刺激値に変換して、三原色映像信号の各々がとるｎ段の輝度階調の夫々に対応する各階調測定三刺激値を得、その各階調測定三刺激値をあらわす測定データを形成する測定データ形成部と、三原色映像信号の各々がとるｎ段の輝度階調の夫々に対応する目標三刺激値を目標色温度に応じて設定し、その目標三刺激値をあらわす目標値データを形成する目標値設定部と、測定データ形成部から得られる測定データがあらわす各階調測定三刺激値のうちの三原色映像信号の各々がとるｎ段の輝度階調のうちの一つに対応するものに基づいて、三原色輝度から三刺激値への第１の変換行列を求め、次に、第１の変換行列の逆行列を計算して、三刺激値から三原色輝度への第２の変換行列を求め、第２の変換行列と、目標値設定部から得られる目標値データがあらわす、三原色映像信号の各々がとるｎ段の輝度階調のうちの一つに対応する目標三刺激値とから、三原色輝度を算出する算出動作を、三原色映像信号の各々がとるｎ段の輝度階調の夫々について行い、その結果得られる三原色映像信号の各々がとるｎ段の輝度階調の夫々に対応する三原色輝度をあらわす参照データを形成し、その参照データを表示パネルにおける画像表示に供される三原色映像信号についての色温度補正用データとして送出する参照データ形成部と、を備えて構成される。
【００１６】
このように構成される、本願の特許請求の範囲における請求項１から請求項７までのいずれかに記載された発明に係る色温度補正用データ形成装置にあっては、参照データ形成部において、測定データ形成部から得られる測定データがあらわす、三原色映像信号の各々がとるｎ段の輝度階調の夫々に対応する各階調測定三刺激値のうちの、三原色映像信号の各々がとるｎ段の輝度階調のうちの一つに対応するものに基づいて、三原色輝度から三刺激値への第１の変換行列が求められ、次に、第１の変換行列の逆行列が計算されて、三刺激値から三原色輝度への第２の変換行列が求められて、第２の変換行列と、目標値設定部から得られる目標値データがあらわす、三原色映像信号の各々がとるｎ段の輝度階調のうちの一つに対応する目標三刺激値とから、三原色輝度が算出されるという算出動作が、三原色映像信号の各々がとるｎ段の輝度階調の夫々について行われる。その結果、三原色映像信号の各々がとるｎ段の輝度階調の夫々に対応する三原色輝度が得られ、それらをあらわす参照データが形成されて、その参照データが表示パネルにおける画像表示に供される三原色映像信号についての色温度補正用データとして送出される。
【００１７】
従って、三原色映像信号の各々がとるｎ段の輝度階調の夫々に対応する三原色輝度をあらわす参照データが、色温度補正用データとして送出されるべく得られるにあたり、三原色輝度から三刺激値への第１の変換行列が、三原色映像信号の各々がとるｎ段の輝度階調の夫々に対応じてｎ個求められ、それらが用いられて、三原色映像信号の各々がとるｎ段の輝度階調の夫々に対応する三原色輝度が得られることになる。
【発明の効果】
【００１８】
このように、本願の特許請求の範囲における請求項１から請求項７までのいずれかに記載された発明に係る色温度補正用データ形成装置によれば、三原色輝度から三刺激値への第１の変換行列が、三原色映像信号の各々がとるｎ段の輝度階調の夫々に対応じてｎ個求められ、それらが用いられて、三原色映像信号の各々がとるｎ段の輝度階調の夫々に対応する三原色輝度が得られ、それらをあらわす参照データが色温度補正用データとして送出されるので、三原色映像信号についての色温度調整のための補正制御に用いられる色温度補正用データを、色温度調整の対象とされる三原色映像信号の各々がとる各輝度階調に対して十分適正に対応したものとして形成し、それを送出することができることになり、その結果、三原色映像信号の夫々に対する色温度調整のための補正制御を、三原色映像信号の各々がとる各輝度階調に対応して精度良く目的を達成することができるものとなすことができる。
【発明を実施するための最良の形態】
【００１９】
本願の特許請求の範囲における請求項１から請求項７までのいずれかに記載された発明を実施するための最良の形態は、以下に述べられる実施例をもって説明される。
【実施例】
【００２０】
図１は、本願の特許請求の範囲における請求項１から請求項７までのいずれかに記載された発明に係る色温度補正用データ形成装置の一例を、それにより形成された色温度補正用データを用いて、三原色映像信号の夫々に対する色温度調整のための補正制御を行う画像表示装置の例と共に示す。
【００２１】
図１示される画像表示装置２１にあっては、映像信号入力端子２２ａ，２２ｂ及び２２ｃが備えられており、三原色映像信号を成す赤色原色信号ＳＲ，緑色原色信号ＳＧ及び青色原色信号ＳＢが、映像信号入力端子２２ａ，２２ｂ及び２２ｃを夫々通じて、映像信号選択部２３に供給される。映像信号選択部２３は、後述される色温度補正用データ形成時以外のときには、映像信号入力端子２２ａ，２２ｂ及び２２ｃを夫々通じた赤色原色信号ＳＲ，緑色原色信号ＳＧ及び青色原色信号ＳＢを選択導出して、赤色原色信号ＳＲを輝度制御部２４に、緑色原色信号ＳＧを輝度制御部２５に、そして、青色原色信号ＳＢを輝度制御部２６に夫々供給する。
【００２２】
輝度制御部２４は、参照データ供給部２７からの予め設定された輝度補正用参照データＤＲＲを受けて、例えば、赤色原色信号ＳＲの輝度を輝度補正用参照データＤＲＲがあらわす参照輝度と一致させるべく補正して、補正赤色原色信号ＳＲＭを形成する。また、輝度制御部２５は、参照データ供給部２７からの予め設定された輝度補正用参照データＤＲＧを受けて、例えば、緑色原色信号ＳＧの輝度を輝度補正用参照データＤＲＧがあらわす参照輝度と一致させるべく補正して、補正緑色原色信号ＳＧＭを形成する。さらに、輝度制御部２６は、参照データ供給部２７からの予め設定された輝度補正用参照データＤＲＢを受けて、例えば、青色原色信号ＳＢの輝度を輝度補正用参照データＤＲＢがあらわす参照輝度と一致させるべく補正して、補正青色原色信号ＳＢＭを形成する。
【００２３】
それにより、輝度制御部２４，２５及び２６から夫々得られる補正赤色原色信号ＳＲＭ，補正緑色原色信号ＳＧＭ及び補正青色原色信号ＳＢＭは、夫々、輝度補正用参照データＤＲＲがあらわす参照輝度，輝度補正用参照データＤＲＧがあらわす参照輝度、及び、輝度補正用参照データＤＲＢがあらわす参照輝度に応じた輝度階調のものとされる。そして、輝度制御部２４，２５及び２６から夫々得られる補正赤色原色信号ＳＲＭ，補正緑色原色信号ＳＧＭ及び補正青色原色信号ＳＢＭは、表示パネル駆動部２８に供給される。表示パネル駆動部２８は、補正赤色原色信号ＳＲＭ，補正緑色原色信号ＳＧＭ及び補正青色原色信号ＳＢＭに基づく駆動信号ＳＤを形成して、それにより液晶表示パネル２９を駆動する。その結果、液晶表示パネル２９において、補正赤色原色信号ＳＲＭ，補正緑色原色信号ＳＧＭ及び補正青色原色信号ＳＢＭに基づく画像が表示される。
【００２４】
斯かる際、輝度制御部２４，２５及び２６から夫々得られる補正赤色原色信号ＳＧＭ，補正緑色原色信号ＳＧＭ及び補正青色原色信号ＳＢＭは、夫々、輝度補正用参照データＤＲＲがあらわす参照輝度，輝度補正用参照データＤＲＧがあらわす参照輝度、及び、輝度補正用参照データＤＲＢがあらわす参照輝度に基づいて、液晶表示パネル２９上に得られる画像が、予め設定された色温度が維持されたもとで得られるものとなるようにされる。参照データ供給部２７から送出される予め設定された輝度補正用参照データＤＲＲ，ＤＲＧ及びＤＲＢは、参照データテーブル保持部３０において保持された、三原色映像信号を成す赤色原色信号ＳＲ，緑色原色信号ＳＧ及び青色原色信号ＳＢの夫々の輝度階調との対応関係をもって設定された輝度補正用参照データＤＲＲ，ＤＲＧ及びＤＲＢをあらわす参照データテーブルから読み出され、色温度補正用データＤＲＴとして参照データ供給部２７に供給されたものとされる。
【００２５】
図１においては、上述のような画像表示装置２１における参照データテーブル保持部３０において保持される参照データテーブルに含まれ、それから読み出されて色温度補正用データＤＲＴとされる、輝度補正用参照データＤＲＲ，ＤＲＧ及びＤＲＢを形成するものとして、本願の特許請求の範囲における請求項１から請求項７までのいずれかに記載された発明に係る色温度補正用データ形成装置の一例である、色温度補正用データ形成装置３１が示されている。
【００２６】
斯かる色温度補正用データ形成装置３１にあっては、測定用三原色映像信号を成す測定用赤色原色信号ＳＲＴ，測定用緑色原色信号ＳＧＴ及び測定用青色原色信号ＳＢＴを、各々がｎ段、例えば、０〜２５５の２５６段の輝度階調のいずれか（三原色輝度Ｒ，Ｇ，Ｂの各々が０〜２５５のうちのいずれか）に設定されたものとして送出することができる映像信号発生部３２が備えられており、また、画像表示装置２１における液晶表示パネル２９が画像表示を行うときの液晶表示パネル２９における色光を測定し、測定出力信号ＤＣＯを送出する色光測定部３３も備えられている。そして、色光測定部３３からの測定出力信号ＤＣＯは、測定データ形成部３４に供給され、測定データ形成部３４は、測定出力信号ＤＣＯに基づく測定データＤＸを形成し、その測定データＤＸを参照データ形成部３５に供給する。
【００２７】
参照データ形成部３５には、目標値設定部３６からの、目標三刺激値Ｘｎ，Ｙｎ，Ｚｎが補正されて得られる補正された目標三刺激値Ｘｎ’，Ｙｎ’，Ｚｎ’をあらわす目標値データＤＴＴも供給される。目標値設定部３６は、目標値設定用データ送出部３７から供給される、目標色温度をあらわす目標色温度データを含んだ目標値設定用データＤＤＴに基づいて、目標値データＤＴＴを形成する。
【００２８】
斯かる色温度補正用データ形成装置３１には、映像信号発生部３２，参照データ形成部３５，目標値設定部３６，目標値設定用データ送出部３７、さらには、画像表示装置２１に対する動作制御を行う動作制御部３８が備えられている。そして、動作制御部３８には、入力操作部３９からの、それにおける入力操作に応じて発せられる動作指令データＤＩが供給される。動作制御部３８は、例えば、入力操作部３９からの動作指令データＤＩに応じて、制御信号ＣＡ，ＣＢ，ＣＣ及びＣＤを、映像信号発生部３２，参照データ形成部３５，目標値設定部３６及び目標値設定用データ送出部３７に夫々供給し、さらに、制御信号ＣＥ，ＣＦ及びＣＧを、画像表示装置２１における映像信号選択部２３，参照データ供給部２７及び参照データテーブル保持部３０に夫々供給する。
【００２９】
このようなもとで、色温度補正用データ形成装置３１により、輝度補正用参照データＤＲＲ，ＤＲＧ及びＤＲＢ、即ち、色温度補正用データが形成されるときには、例えば、先ず、目標値設定部３６による目標値データＤＴＴの形成が行われる。その際には、動作制御部３８からの制御信号ＣＣ及びＣＤが、目標値設定部３６及び目標値設定用データ送出部３７に夫々供給される。そして、目標値設定用データ送出部３７が、制御信号ＣＤに応じて設定された目標色温度をあらわす目標色温度データを含んだ目標値設定用データＤＤＴを、目標値設定部３６に供給する。
【００３０】
目標値設定部３６においては、制御信号ＣＣに応じて、目標値データＤＴＴの形成が、例えば、図２に示される手順に従って行われる。図２に示される手順にあっては、先ず、目標値設定用データ送出部３７からの目標値設定用データＤＤＴに含まれた目標色温度データがあらわす目標色温度に応じて、三原色輝度Ｒ，Ｇ，Ｂの各々が０〜２５５の夫々であるときに対応する、２５６組の目標三刺激値Ｘｎ，Ｙｎ，Ｚｎを算出する。
【００３１】
続いて、画像表示装置２１における液晶表示パネル２９において生じる光漏れを考慮して、各目標三刺激値Ｘｎ，Ｙｎ，Ｚｎに対して、それから予め設定された光漏れ分Ｘ０，Ｙ０，Ｚ０を差し引く補正、さらには、三原色輝度Ｒ，Ｇ，Ｂの各々が低輝度である場合に対する、目標色温度を光漏れにより出てくる色温度に徐々に移行させるための補正を行って、補正された目標三刺激値Ｘｎ’，Ｙｎ’，Ｚｎ’を算出する。それにより、補正された目標三刺激値Ｘｎ’，Ｙｎ’，Ｚｎ’は、液晶表示パネル２９において生じる光漏れの影響が軽減されたものとされる。そして、三原色輝度Ｒ，Ｇ，Ｂの各々が０〜２５５の夫々であるときに対応する、２５６組の補正された目標三刺激値Ｘｎ’，Ｙｎ’，Ｚｎ’を得、それらをあらわす目標値データＤＴＴを形成する。
【００３２】
また、目標値設定部３６による目標値データＤＴＴの形成とともに、測定データ形成部３４による測定データＤＸの形成が行われる。その際には、動作制御部３８からの制御信号ＣＡ，ＣＥ及びＣＦが、映像信号発生部３２，画像表示装置２１における映像信号選択部２３、及び、画像表示装置２１における参照データ供給部２７に夫々供給される。
【００３３】
映像信号発生部３２は、制御信号ＣＡに応じて、測定用三原色映像信号を成す測定用赤色原色信号ＳＲＴ，測定用緑色原色信号ＳＧＴ及び測定用青色原色信号ＳＢＴを、各々が、ｎ段、例えば、２５６段の輝度階調のうちの、０段目（三原色輝度Ｒ，Ｇ，Ｂの各々が０）及び２５５段目（三原色輝度Ｒ，Ｇ，Ｂの各々が２５５）と、それらの間における所定の間隔をおいて選定されたｍ（ｍは正整数で、ｍ＜ｎ）個の中間段目とのうちの、いずれかに設定されたものとして送出し、それらを画像表示装置２１における映像信号選択部２３に供給する。このとき、映像信号選択部２３は、制御信号ＣＥに応じて、映像信号発生部３２から供給される測定用赤色原色信号ＳＲＴ，測定用緑色原色信号ＳＧＴ及び測定用青色原色信号ＳＢＴを選択導出する状態をとり、送出した測定用赤色原色信号ＳＲＴ，測定用緑色原色信号ＳＧＴ及び測定用青色原色信号ＳＢＴを、輝度制御部２４，２５及び２６に夫々供給する。
【００３４】
斯かる際、参照データ供給部２７は、制御信号ＣＦに応じて、輝度補正用参照データＤＲＲ，ＤＲＧ及びＤＲＢの輝度制御部２４，２５及び２６への供給を行わない状態をとる。それにより、輝度制御部２４，２５及び２６は、夫々、映像信号選択部２３からの測定用赤色原色信号ＳＲＴ，測定用緑色原色信号ＳＧＴ及び測定用青色原色信号ＳＢＴを、輝度制御を行うことなく、そのまま導出して、画像表示装置２１における表示パネル駆動部２８に供給する。表示パネル駆動部２８は、測定用赤色原色信号ＳＲＴ，測定用緑色原色信号ＳＧＴ及び測定用青色原色信号ＳＢＴに基づく駆動信号ＳＤＴを形成して、それにより画像表示装置２１における液晶表示パネル２９を駆動する。その結果、液晶表示パネル２９において、測定用赤色原色信号ＳＲＴ，測定用緑色原色信号ＳＧＴ及び測定用青色原色信号ＳＢＴに基づく表示が行われる。
【００３５】
このようにして、各々が２５６段の輝度階調のうちのいずれかに設定された測定用赤色原色信号ＳＲＴ，測定用緑色原色信号ＳＧＴ及び測定用青色原色信号ＳＢＴに基づく表示が液晶表示パネル２９において行われるとき、色光測定部３３は、液晶表示パネル２９における色光を測定し、それにより得られる測定出力をあらわす測定出力信号ＤＣＯを、測定データ形成部３４に供給する。斯かる色光測定部３３による液晶表示パネル２９における色光の測定は、映像信号発生部３２から送出される、各々が、２５６段の輝度階調のうちの、０段目及び２５５段目とそれらの間における所定の間隔をおいて選定されたｍ個の中間段目とのうちのいずれかに設定された、測定用赤色原色信号ＳＲＴ，測定用緑色原色信号ＳＧＴ及び測定用青色原色信号ＳＢＴの組の夫々に対応して順次行われる。
【００３６】
斯かるもとで、測定データ形成部３４においては、測定データＤＸの形成が、例えば、図３に示される手順に従って行われる。図３に示される手順にあっては、先ず、色光測定部３３からの測定出力信号ＤＣＯがあらわす測定出力を、測定三刺激値Ｘ，Ｙ，Ｚに変換する。続いて、画像表示装置２１における液晶表示パネル２９において生じる光漏れを考慮して、各測定三刺激値Ｘ，Ｙ，Ｚに対して、それから予め設定された光漏れ分Ｘ０，Ｙ０，Ｚ０を差し引く補正を行って、補正された測定三刺激値Ｘ’，Ｙ’，Ｚ’を算出する。
【００３７】
測定データ形成部３４は、このような、色光測定部３３からの測定出力信号ＤＣＯがあらわす測定出力に基づく、補正された測定三刺激値Ｘ’，Ｙ’，Ｚ’の算出を、映像信号発生部３２から送出される、各々が、２５６段の輝度階調のうちの、０段目及び２５５段目とそれらの間における所定の間隔をおいて選定されたｍ個の中間段目とのうちのいずれかに設定された、測定用赤色原色信号ＳＲＴ，測定用緑色原色信号ＳＧＴ及び測定用青色原色信号ＳＢＴの組の夫々に対応して行って、ｍ＋２個の補正された測定三刺激値Ｘ’，Ｙ’，Ｚ’を得るとともに、ｍ＋２個の補正された測定三刺激値Ｘ’，Ｙ’，Ｚ’についての相互間の補間処理を行って、２５５個の補正された測定三刺激値Ｘ’，Ｙ’，Ｚ’を形成する。それにより、各々が２５６段の輝度階調のうちのいずれかに設定された、測定用赤色原色信号ＳＲＴ，測定用緑色原色信号ＳＧＴ及び測定用青色原色信号ＳＢＴの組の夫々に対応する補正された測定三刺激値Ｘ’，Ｙ’，Ｚ’が得られることになる。
【００３８】
そして、測定データ形成部３４は、このようにして得られる、測定用赤色原色信号ＳＲＴ，測定用緑色原色信号ＳＧＴ及び測定用青色原色信号ＳＢＴの各々についての０〜２５５の２５６輝度階調の夫々、即ち、三原色輝度Ｒ，Ｇ，Ｂの各々についての０〜２５５の夫々に対応する補正された測定三刺激値Ｘ’，Ｙ’，Ｚ’を、三原色輝度Ｒ，Ｇ，Ｂの各々についての０〜２５５の夫々に対応させたテーブルに取り纏め、そのテーブルをあらわす測定データＤＸを形成する。
【００３９】
上述のようにして、目標値設定部３６により目標値データＤＴＴが形成されるとともに、測定データ形成部３４により測定データＤＸが形成されるもとで、参照データ形成部３５による輝度補正用参照データＤＲＲ，ＤＲＧ及びＤＲＢ、即ち、色温度補正用データの形成が、例えば、図４に示される手順に従って行われる。
【００４０】
図４に示される手順にあっては、先ず、一般的に、三刺激値Ｘ，Ｙ，Ｚについては、下記の数１に示される式１の関係が成立し、また、三刺激値Ｘ，Ｙ，Ｚと三原色輝度Ｒ，Ｇ，Ｂとの間には、下記の数２に示される式２の関係が成立するので、測定データ形成部３４において形成される測定データＤＸがあらわすテーブルから、三原色輝度Ｒ，Ｇ，Ｂの各々が２５５であるときの補正された測定三刺激値Ｘ’，Ｙ’，Ｚ’を取り出し、下記の数３に示される式３に従って、三原色輝度Ｒ，Ｇ，Ｂの各々が２５５であるときの三原色輝度から三刺激値への変換行列Ａijを算出する。
【００４１】
【数１】
2006038980.tif 000003
【００４２】
【数２】
2006038980.tif 000004
【００４３】
【数３】
2006038980.tif 000005
【００４４】
次に、算出された変換行列Ａijについての逆行列の計算を行って、三刺激値から三原色輝度への変換行列Ａijー1を求める。続いて、求められた三刺激値から三原色輝度への変換行列Ａijー1に、目標値設定部３６において形成された目標値データＤＴＴがあらわす、三原色輝度Ｒ，Ｇ，Ｂの各々が０〜２５５の夫々であるときに対応する、２５６組の補正された目標三刺激値Ｘｎ’，Ｙｎ’，Ｚｎ’のうちの、三原色輝度Ｒ，Ｇ，Ｂの各々が２５５であるときに対応するものを乗算して、下記の数４に示される式４のように、三原色輝度Ｒ’，Ｇ’，Ｂ’を算出する。
【００４５】
【数４】
2006038980.tif 000006
【００４６】
このようにして得た三原色輝度Ｒ’，Ｇ’，Ｂ’を用い、測定データ形成部３４において形成される測定データＤＸがあらわすテーブルから、三原色輝度Ｒ，Ｇ，Ｂが三原色輝度Ｒ’，Ｇ’，Ｂ’であるときの補正された測定三刺激値Ｘ’，Ｙ’，Ｚ’を取り出し、前記の数１に示される式１及び数２に示される式２に従って、三原色輝度から三刺激値への変換行列Ａijを再度算出して、修正された三原色輝度から三刺激値への変換行列Ａijを得る。そして、修正された三原色輝度から三刺激値への変換行列Ａijについての逆行列の計算を行って、修正された三刺激値から三原色輝度への変換行列Ａijー1を求める。続いて、修正された三刺激値から三原色輝度への変換行列Ａijー1に、目標値設定部３６において形成された目標値データＤＴＴがあらわす、三原色輝度Ｒ，Ｇ，Ｂの各々が０〜２５５の夫々であるときに対応する、２５６組の補正された目標三刺激値Ｘｎ’，Ｙｎ’，Ｚｎ’のうちの、三原色輝度Ｒ，Ｇ，Ｂが三原色輝度Ｒ’，Ｇ’，Ｂ’であるときに対応するものを乗算して、修正された三原色輝度Ｒ’，Ｇ’，Ｂ’を算出する。
【００４７】
その後、上述のような、修正された三原色輝度から三刺激値への変換行列Ａijの算出，修正された三刺激値から三原色輝度への変換行列Ａijー1を得るための、修正された三原色輝度から三刺激値への変換行列Ａijについての逆行列の計算、及び、修正された三刺激値から三原色輝度への変換行列Ａijー1を用いての修正された三原色輝度Ｒ’，Ｇ’，Ｂ’の算出を、所定回数繰り返して、修正された三原色輝度Ｒ’，Ｇ’，Ｂ’の精度を向上させる。
【００４８】
そして、所定の精度になるまで精度の向上が図られた、修正された三原色輝度Ｒ’，Ｇ’，Ｂ’をあらわす輝度補正用参照データＤＲＲ，ＤＲＧ及びＤＲＢを形成する。
【００４９】
次に、測定データ形成部３４において形成される測定データＤＸがあらわすテーブルから、三原色輝度Ｒ，Ｇ，Ｂの各々が２５５であるときの補正された測定三刺激値Ｘ’，Ｙ’，Ｚ’に代えて、順次、三原色輝度Ｒ，Ｇ，Ｂの各々が２５４〜０の夫々であるときの補正された測定三刺激値Ｘ’，Ｙ’，Ｚ’を取り出し、それらに基づいて、Ｇ，Ｂの各々が２５５であるときの上述の場合と同様にして、修正された三原色輝度から三刺激値への変換行列Ａijの算出，修正された三刺激値から三原色輝度への変換行列Ａijー1を得るための、修正された三原色輝度から三刺激値への変換行列Ａijについての逆行列の計算、及び、修正された三刺激値から三原色輝度への変換行列Ａijー1を用いての修正された三原色輝度Ｒ’，Ｇ’，Ｂ’の算出を、所定回数繰り返し、修正された三原色輝度Ｒ’，Ｇ’，Ｂ’の精度を向上させる処理を行い、その結果得られる、所定の精度になるまで精度の向上が図られた、修正された三原色輝度Ｒ’，Ｇ’，Ｂ’をあらわす輝度補正用参照データＤＲＲ，ＤＲＧ及びＤＲＢを形成する。
【００５０】
それにより、三原色輝度Ｒ，Ｇ，Ｂの各々が０〜２５５の夫々であるときに対応する、２５６組の輝度補正用参照データＤＲＲ，ＤＲＧ及びＤＲＢの組を得て、それらを色温度補正用データＤＲＴとして送出し、画像表示装置２１の参照データテーブル保持部３０に供給する。参照データ形成部３５から画像表示装置２１の参照データテーブル保持部３０に供給された色温度補正用データＤＲＴは、参照データテーブル保持部３０により保持されるデータテーブルに納められる。
【００５１】
上述のようにして、参照データ形成部３５による輝度補正用参照データＤＲＲ，ＤＲＧ及びＤＲＢ、即ち、色温度補正用データＤＲＴの形成に際しては、三原色輝度から三刺激値への変換行列Ａijが、測定用赤色原色信号ＳＲＴ，測定用緑色原色信号ＳＧＴ及び測定用青色原色信号ＳＢＴの各々がとる２５６段の輝度階調の夫々に対応じて２５６個求められ、それらが用いられて、測定用赤色原色信号ＳＲＴ，測定用緑色原色信号ＳＧＴ及び測定用青色原色信号ＳＢＴの各々がとる２５６段の輝度階調の夫々に対応する三原色輝度Ｒ’，Ｇ’，Ｂ’が得られ、それらをあらわす輝度補正用参照データＤＲＲ，ＤＲＧ及びＤＲＢが色温度補正用データＤＲＴとして送出される。従って、参照データ形成部３５は、画像表示装置２１において行われる三原色映像信号を成す赤色原色信号ＳＲ，緑色原色信号ＳＧ及び青色原色信号ＳＢについての色温度調整のための補正制御に用いられる色温度補正用データＤＲＴを、色温度調整の対象とされる赤色原色信号ＳＲ，緑色原色信号ＳＧ及び青色原色信号ＳＢの各々がとる各輝度階調に対して十分適正に対応したものとして形成し、それを送出することができることになる。そして、その結果、画像表示装置２１において行われる、三原色映像信号を成す赤色原色信号ＳＲ，緑色原色信号ＳＧ及び青色原色信号ＳＢの夫々に対する色温度調整のための補正制御が、赤色原色信号ＳＲ，緑色原色信号ＳＧ及び青色原色信号ＳＢの各々がとる各輝度階調に対応して精度良く目的を達成できるものとされる。
【産業上の利用可能性】
【００５２】
以上のような本願の特許請求の範囲における請求項１から請求項７までのいずれかに記載された発明に係る色温度補正用データ形成装置は、それにより形成される色温度補正用データが用いられて行われる、三原色映像信号の夫々に対する色温度調整のための補正制御を、三原色映像信号の各々がとる各輝度階調に対応して精度良く目的を達成できるものとなすことができるものであって、液晶表示パネル等のカラー画像表示装置による画像表示に広く適用することができるものである。
【図面の簡単な説明】
【００５３】
【図１】本願の特許請求の範囲における請求項１から請求項７までのいずれかに記載された発明に係る色温度補正用データ形成装置の一例を、それにより形成された色温度補正用データを用いて、三原色映像信号の夫々に対する色温度調整のための補正制御を行う画像表示装置の例と共に示すブロック構成図である。
【図２】図１に示される色温度補正用データ形成装置の一例の動作説明に供される手順図である。
【図３】図１に示される色温度補正用データ形成装置の一例の動作説明に供される手順図である。
【図４】図１に示される色温度補正用データ形成装置の一例の動作説明に供される手順図である。
【図５】色温度補正用データを用いて、三原色映像信号の夫々に対する色温度調整のための補正制御を行う画像表示装置の要部を示すブロック構成図である。
【００５４】
２１・・・画像表示装置，  ２３・・・映像信号選択部，  ２４，２５，２６・・・輝度制御部，  ２７・・・参照データ供給部，  ２８・・・表示パネル駆動部，  ２９・・・液晶表示パネル，  ３０・・・参照データテーブル保持部，  ３１・・・色温度補正用データ形成装置，  ３２・・・映像信号発生部，  ３３・・・色光測定部，  ３４・・・測定データ形成部，  ３５・・・参照データ形成部，  ３６・・・目標値設定部，  ３７・・・目標値設定用データ送出部，  ３８・・・動作制御部，  ３９・・・入力操作部
【図１】
2006038980.tif 000007
【図２】
2006038980.tif 000008
【図３】
2006038980.tif 000009
【図４】
2006038980.tif 000010
【図５】
2006038980.tif 000011